(57)【要約】【課題】電力を自給しつつ、防犯や災害時に必要とされている多様な支援策を極力実施することができる災害時等の支援装置を提供することを課題とする。【解決手段】支柱２に、防犯や災害発生時に用いられる支援機器３と、この支援機器に電力を供給する電力供給手段４と、前記支援機器の作動を制御する制御手段５が設けられてなり、前記電力供給手段が、太陽エネルギーを電力に変換する太陽光パネル６と、この太陽光パネルによって発電された電力を蓄積する蓄電池７とによって構成され、前記支援機器が、夜間に点灯される照明灯８と、前記支柱まわりを撮像する防犯カメラ９と、警告音を発するスピーカー１０、および、このスピーカーにおける発音動作を行なわせる非常ボタン１１と、外部機器へ電力を供給するコンセント１２とによって構成されている。【選択図】図１
2015152977.tif 000002
【特許請求の範囲】
【請求項１】
地上に設置される支柱を備え、この支柱に、防犯や災害発生時に用いられる支援機器と、この支援機器に電力を供給する電力供給手段と、前記支援機器の作動を制御する制御手段が設けられてなり、前記電力供給手段が、太陽エネルギーを電力に変換する太陽光パネルと、この太陽光パネルによって発電された電力を蓄積する蓄電池とによって構成され、前記支援機器が、夜間に点灯される照明灯と、前記支柱まわりを撮像する防犯カメラと、警告音を発するスピーカー、および、このスピーカーにおける発音動作を行なわせる非常ボタンと、外部機器へ電力を供給するコンセントとによって構成されていることを特徴とする災害時等の支援装置。
【請求項２】
前記制御手段は、前記支援機器や電力供給手段の作動情報を外部へ送出し、また、前記支援機器や前記電力供給手段を遠隔操作するための制御情報を受信する無線通信機能を備えていることを特徴とする請求項１に記載の災害時等の支援装置。
【発明の詳細な説明】
【技術分野】
【０００１】
本発明は、防犯や災害時の支援に用いられる災害時等の支援装置に係わり、特に、電力を自給して、停電時においても防犯機能や災害時の支援機能を行なうことができる災害時等の支援装置に関するものである。
【背景技術】
【０００２】
一般に、街路での防犯や災害時の支援策として、街路を照らす照明機器や周辺の状況を撮像する防犯カメラ等の支援装置を設置することが行なわれている。
【０００３】
このような支援策では、前述した支援装置を作動させるために電力を必要とすることから、前記支援装置の設置場所へ電力線を架設若しくは敷設しなければならず、また、停電時にはその機能が果たせないといった問題点がある。
【０００４】
このような問題点に対処すべく、従来では、たとえば、特許文献１に示される技術が提案されている。
【０００５】
この技術は、照明灯を備えた支柱に、太陽エネルギーを電力に変換する太陽光パネルを取り付け、この太陽光パネルによって発電された電力を蓄電池に蓄積しておき、光センサーで周囲が暗くなったことを検知して、前記蓄電池に蓄えられた電力により、前記照明灯を点灯させるようにしている。
【先行技術文献】
【特許文献】
【０００６】
【特許文献１】実用新案登録第３１０３３０１号公報
【発明の概要】
【発明が解決しようとする課題】
【０００７】
前述した従来の技術により、照明灯の点灯に必要な電力を自給することにより、電力線の架設や敷設が不要になり、かつ、停電時においても照明が可能となったが、なお、つぎのような改善すべき問題点が残されている。
【０００８】
すなわち、防犯や災害時に必要とされている支援策は多岐にわたるが、前述した技術では、暗闇を明るくするだけの支援策しか実施できないといった問題点である。
【０００９】
本発明は、前述した従来の問題点に鑑みてなされたもので、電力を自給しつつ、防犯や災害時に必要とされている多様な支援策を極力実施することができる災害時等の支援装置を提供することを解決課題とする。
【課題を解決するための手段】
【００１０】
本発明の災害時等の支援装置は、地上に設置される支柱を備え、この支柱に、防犯や災害発生時に用いられる支援機器と、この支援機器に電力を供給する電力供給手段と、前記支援機器の作動を制御する制御手段が設けられてなり、前記電力供給手段が、太陽エネルギーを電力に変換する太陽光パネルと、この太陽光パネルによって発電された電力を蓄積する蓄電池とによって構成され、前記支援機器が、夜間に点灯される照明灯と、前記支柱まわりを撮像する防犯カメラと、警告音を発するスピーカー、および、このスピーカーにおける発音動作を行なわせる非常ボタンと、外部機器へ電力を供給するコンセントとによって構成されていることを特徴とする。
【００１１】
このような構成とすることにより、太陽光によって発電された電力が蓄電池に蓄えられ、この電力によって前記各支援機器が作動させられる。
したがって、支援策の実施にあたって、前記各支援機器の作動に必要な電力を自給することができ、電力線の架設や敷設を不要にすることができるとともに、停電時における支援策の実施を可能にする。
【００１２】
そして、夜間においては、照明灯による照明により周辺の暗闇をなくし、犯罪発生時若しくは災害発生時には、前記非常ボタンの操作によって警告音が発せられ、事故若しくは事件の発生や災害発生の告知を行なうことができる。
【００１３】
また、前記防犯カメラによって周辺の状況が画像情報として記録され、これによって、事故若しくは事件の状況や災害の状況を把握することができる。
【００１４】
さらに、たとえば災害時の停電により、通信端末や情報端末等の機器への電力供給が行なえない場合に、これらを前記コンセントに接続することにより、前記蓄電池に蓄えられている電力を用いて前記機器を稼働させることができ、あるいは、前記機器への充電を行なうことができる。
【００１５】
本発明では、前記制御手段に、前記支援機器や電力供給手段の作動情報を外部へ送出し、また、前記支援機器や前記電力供給手段を遠隔操作するための制御情報を受信する無線通信機能を装備させることが好ましい。
【００１６】
このような構成とすることにより、事件や事故あるいは災害の発生現場から離れた位置において、これらの発生状況や、必要とされている支援内容を把握することができ、迅速な支援を可能にする。
【発明の効果】
【００１７】
本発明によれば、防犯や災害時に必要とされている多様な支援策を極力実施することができ、かつ、これらの多様な支援策に必要な電力を自給して、停電時においても前述した支援策を確実に実施することができる。
【図面の簡単な説明】
【００１８】
【図１】本発明の第１の実施形態を示す斜視図である。
【図２】本発明の第１の実施形態を示す側面図である。
【図３】本発明の第１の実施形態のシステム構成図である。
【発明を実施するための形態】
【００１９】
以下、本発明の第１の実施形態について、図１ないし図８を参照して説明する。
図１において符号１は本実施形態に係わる支援装置を示し、この支援装置１は、地上に設置される支柱２を備え、この支柱２に、防犯や災害発生時に用いられる支援機器３と、この支援機器３に電力を供給する電力供給手段４と、前記支援機器３の作動を制御する制御手段５が設けられてなり、前記電力供給手段４が、太陽エネルギーを電力に変換する太陽光パネル６と、この太陽光パネル６によって発電された電力を蓄積する蓄電池７とによって構成され、前記支援機器３が、夜間に点灯される照明灯８と、前記支柱２まわりを撮像する防犯カメラ９と、警告音を発するスピーカー１０、および、このスピーカー１０における発音動作を行なわせる非常ボタン１１と、外部機器へ電力を供給するコンセント１２とによって構成されている。
【００２０】
さらに詳述すれば、前記支柱２は、角形鋼管等によって所定長さに形成されており、その上端部に、前記太陽光パネル６が、方位が調整され、かつ、水平面に対して所定角度となるように装着されている。
【００２１】
前記太陽光パネル６は、太陽光を受けて発電した電力を、図３に示すように、充電器１４を介して前記蓄電池７へ充電するようになっており、また、前記充電器１４は過充電を検知して充電を停止するようになっている。
【００２２】
また、前記支柱２の上部で、前記太陽光パネル６の下方には、側方へ突出するブラケット１３が突設されており、このブラケット１３に、前記照明灯８および前記防犯カメラ９が装着されている。
【００２３】
前記照明灯８は、図３に示すように、光センサー１５から得られる周辺の明るさの情報に基づき、周辺の明るさが所定値よりも暗いと判断された際に、前記制御手段５によって、前記蓄電池７に蓄えられた電力が供給されて点灯されるようになっている。
【００２４】
あるいは、前記光センサー１５が前記照明灯８に装着され、前記光センサー１５からの信号により、前記蓄電池７から前記照明灯８への電力供給のオン・オフが行なわれる。
【００２５】
一方、前記支柱２の側面で、前記ブラケット１３よりも下方に、前記スピーカー１０が装着され、さらに、このスピーカー１０よりも下方に、このスピーカー１０の発音を行なわせるための前記非常ボタン１１が装着され、この非常ボタン１１が操作された際に、前記制御手段５から前記スピーカー１０に、予め設定されている警報音や音声等の発音信号が送られ、これらの警報音や音声等が前記スピーカー１０より発音されるようになっている。
【００２６】
前記コンセント１２は、前記蓄電池７に電気的に接続されており、電気機器が接続された際に、前記蓄電池７に蓄えられている電力を前記電気機器に供給するようになっている。
【００２７】
前記制御手段５は、前記支援機器３に供給される電力を制御してこれらの作動を制御するとともに、その作動情報を記憶するコントロールユニット１６と、前記作動情報を外部へ送信し、また、前記支援機器３や前記電力供給手段４を遠隔操作するための制御情報を受信する無線の通信機１７を備えている。
【００２８】
そして、この通信機１７による情報の送受信は、図２に示すように、前記支柱２の上部に装着されているアンテナ１８を介して行なわれる。
【００２９】
前記通信機１７およびアンテナ１８は、必要に応じて追加装備されるもので、たとえば、図３に示すように、前記制御手段５に記録媒体１９を設けておき、前記支援機器３の作動情報を、前記支援装置１内で記録しておくだけですむ場合には不要であり、あるいは、これらを併用することもできる。
【００３０】
このように構成された本実施形態の支援装置１は、前記太陽光パネル６が昼間の太陽光を受けて発電し、その電力が充電器１４によって前記蓄電池７に蓄電される。
【００３１】
そして、周辺が暗くなると、前記コントロールユニット１６によって前記蓄電池７から前記照明灯８へ電力が供給されて、前記支援装置１まわりが照らされて、夜間の防犯支援が実施される。
【００３２】
また、前記コントロールユニット１６によって、作動時期や作動時間等の予め設定された条件で前記防犯カメラ９が作動させられて、前記支援装置１まわりの状況が撮影される。
そして、周囲が暗くなった場合には、前述した照明灯８が点灯されることから、夜間においても前述した撮影が行なわれて、昼夜を問わず撮影が可能である。
【００３３】
したがって、撮影されていることを認知させることによる防犯支援が行なわれるとともに、事件や事故が発生状況の把握が容易に行なわれる。
また、災害時においては、その状況が画像情報として得られ、高精度の災害検証を行なうことができるとともに、その後の対策へ大きく寄与する。
【００３４】
さらに、事件や事故、あるいは、災害に遭遇した場合、前記非常ボタン１１を押すことにより、予め設定されている音や音声等の、警報音や警告音が前記スピーカー１０から発生される。
【００３５】
これによって、事件や事故、あるいは、災害の発生を広く周囲に告知することができる。
したがって、警報音や警告音が即座に発せられることを認知させることによる防犯支援や、事件や事故あるいは災害の告知を行なって、これらに対する迅速な対応や備えを行なわせるといった災害支援を実施することができる。
【００３６】
ここで、前述した支援策を実施するために必要な電力が、太陽光発電によって得られた電力を蓄えた前記蓄電池７から供給されるため、停電時おいても、前述した支援策を確実に実施することができる。
【００３７】
一方、たとえば災害時における情報収集には、ラジオやテレビ、あるいは、パーソナルコンピューター、タブレット、携帯電話等の電気機器が多く用いられる。
【００３８】
しかしながら、災害時には停電が発生することが多く、この停電によって、前述した電気機器の電源が確保できず、あるいは、装着されている電池を使い切ってしまい、これらの電気機器を使用できない状況が生じる。
【００３９】
本実施形態の支援装置１にあっては、このような状況下でも、前記電気機器を前記コンセント１２に接続することにより、これらの電気機器の電源として前記蓄電池７を利用することができる。
しかも、前記蓄電池７には、前記太陽光パネル６によって継続して充電されることから、停電時における情報収集の機会を大幅に拡大することができる。
【００４０】
本実施形態においては通信機１７を具備していることにより、前記支援機器３の作動情報が、外部の、たとえば、管理センター等へ送信され、この管理センターにおいて、事件や事故あるいは災害の発生を把握することができ、これらへの迅速な対応が可能になる。
【００４１】
たとえば、前記非常ボタン１１が操作された場合、この非常ボタン１１が装着されている支援装置１を特定して、この支援装置１の防犯カメラ９からの画像情報を確認することにより、発生した事件や事故あるいは災害の状況確認を即座に行ない、その状況に応じた有効な支援を迅速に行なうことができる。
【００４２】
あるいは、管理センターから該当する支援装置１に制御信号を送って前記防犯カメラ９を遠隔操作することにより、前述した状況確認を広範囲に行なうことも可能である。
【００４３】
なお、前記実施形態において示した各構成部材の諸形状や寸法等は一例であって、要求される支援策等に基づき種々変更可能である。
【符号の説明】
【００４４】
１  支援装置
２  支柱
３  支援機器
４  電力供給手段
５  制御手段
６  太陽光パネル
７  蓄電池
８  照明灯
９  防犯カメラ
１０  スピーカー
１１  非常ボタン
１２  コンセント
１３  ブラケット
１４  充電器
１５  光センサー
１６  コントロールユニット
１７  通信機
１８  アンテナ
１９  記録媒体
【図１】
2015152977.tif 000003
【図２】
2015152977.tif 000004
【図３】
2015152977.tif 000005